(57)【要約】【課題】矯正用インプラントの頭部に対する矯正用ワイヤの脱着を容易にするアバットメントを提供する。【解決手段】  インプラント９のくびれ部１０に、開口４が切欠き５を介して脱着可能に取り付けられる本体部２と、その本体部２から延びる複数の足部３と、からＨ形状になっている。上記複数の足部３が、インプラント９に本体部２を取り付けた状態では、インプラントの軸方向からみて頭部１１よりも外径側に張り出す。【選択図】        図１
2007244676.tif 000002
【特許請求の範囲】
【請求項１】
頭部に矯正用ワイヤを差し込み可能な溝を有すると共に頭部の下側に当該頭部よりも小径のくびれ部を有するインプラントに取り付けられるアバットメントであって、
上記くびれ部に脱着可能に取り付けられる本体部と、その本体部から延びる複数の足部と、を備え、上記複数の足部が、インプラントに本体部を取り付けた状態では、インプラントの軸方向からみて頭部よりも外径側に張り出すことを特徴とするアバットメント。
【請求項２】
上記本体部は、上記くびれ部を嵌め込み可能な開口を有する板状部材であって、その開口に上記くびれ部を嵌め込み可能とする切欠きが形成されていると共に、その切欠きからのくびれ部の抜けを防止する幅狭部を有することを特徴とする請求項１に記載したアバットメント。
【請求項３】
上記足部の先端部が折り曲げられていることを特徴とする請求項１または請求項２に記載したアバットメント。
【請求項４】
上記アバットメントは、略Ｈ形状の板部材から構成されて、中央部にくびれ部を嵌め込み可能な開口を有すると共に、互いに反対方向へ延びる足部を有することを特徴とする請求項１〜請求項３のいずれか１項に記載したアバットメント。
【発明の詳細な説明】
【技術分野】
【０００１】
本発明は、歯列矯正用インプラントに取り付けられるアバットメントであって、矯正用インプラントの頭部に矯正用ワイヤを固定するためのアバットメントに関する。
【背景技術】
【０００２】
矯正用インプラントの頭部端面には、例えば十字に溝が形成されていて、その溝に矯正用ワイヤを差し込み、その上から溝にレジンなどの充填剤を充填し固化させることで、矯正用ワイヤをインプラントの頭部に固定するのが一般的である。
なお、上記溝はインプラントをねじ込む際のドライバ溝としても使用される。
また、矯正用インプラントの頭部を特殊な専用形状とし、専用の頭部に形成した溝部上部の対向する部分に、細い針金を貫通可能な穴を開けておき、その穴に針金を通して結紮して矯正用ワイヤの抜け止めとすることも考えられている。
【０００３】
また、特許文献１のように、頭部に溝を設ける代わりに、頭部の下に形成されているくびれ部の横に矯正用ワイヤを配置した状態で、頭部に小型のねじを螺合させ、その小型のねじの軸部先端を突出されて矯正用ワイヤの抜け止めとする技術もある。
【特許文献１】特開２００４−５７７２９号公報
【発明の開示】
【発明が解決しようとする課題】
【０００４】
充填剤を使用すると一度固定した矯正用ワイヤをインプラントから外すことが出来ず、同じインプラントの頭部に対し他の矯正用治具を取り付けることが出来ない。
また、先行文献１などの構造では、専用のインプラントとなることから、用途に応じて多種のインプラントを用意し、インプラント自体を取り替える必要がある。
本発明は、上記のような点に着目してなされたもので、矯正用インプラントの頭部に対する矯正用ワイヤの脱着を容易にするアバットメントの提供を課題としている。
【課題を解決するための手段】
【０００５】
上記課題を解決するために、本発明のうち請求項１に記載した発明は、頭部に矯正用ワイヤを差し込み可能な溝を有すると共に頭部の下側に当該頭部よりも小径のくびれ部を有するインプラントに取り付けられるアバットメントであって、
上記くびれ部に脱着可能に取り付けられる本体部と、その本体部から延びる複数の足部と、を備え、上記複数の足部が、インプラントに本体部を取り付けた状態では、インプラントの軸方向からみて頭部よりも外径側に張り出すことを特徴とするものである。
【０００６】
次に、請求項２に記載した発明は、請求項１に記載した構成に対し、上記本体部は、上記くびれ部を嵌め込み可能な開口を有する板状部材であって、その開口に上記くびれ部を嵌め込み可能とする切欠きが形成されていると共に、その切欠きからのくびれ部の抜けを防止する幅狭部を有することを特徴とするものである。
【０００７】
次に、請求項３に記載した発明は、請求項１または請求項２に記載した構成に対し、上記足部の先端部が折り曲げられていることを特徴とするものである。
次に、請求項４に記載した発明は、請求項１〜請求項３のいずれか１項に記載した構成に対し、上記アバットメントは、略Ｈ形状の板部材から構成されて、中央部にくびれ部を嵌め込み可能な開口を有すると共に、互いに反対方向へそれぞれ２本の足部が延びていることを特徴とするものである。
【発明の効果】
【０００８】
本発明のアバットメントをインプラントに取り付けるだけで、矯正用インプラントの頭部に対する矯正用ワイヤの脱着が容易に出来る。
【発明を実施するための最良の形態】
【０００９】
次に、本発明の実施形態について図面を参照しつつ説明する。
図１は、本実施形態に係るアバットメントを説明するための平面図である。
（構成）
本実施形態のアバットメント１は、図１に示すように、平面視で略Ｈ形状の板部材から構成される。すなわち、中央部の本体部２と、その本体部２からそれぞれ反対方向に向けて２本ずつ、足部３が延在している。すなわち、本体部２を挟んで、同方向に２本の足部３が延び、反対方向に別の２本の足部３が延びている。
【００１０】
同方向に延びる２本の足部３の間隔は、対象とするインプラント９のくびれ部１０の直径より大きく且つ頭部１１の直径よりも小さい。
上記本体部２には、くびれ部１０を嵌め込むための開口が形成されている。その開口は、同方向に延びる２本の足部３の間で切り欠かれて開放されている。その切欠き５の部分には、幅を狭くする一対の突起部６が設けられ、その一対の突起部６間の間隔を、上記くびれ部１０の直径よりも若干小さくすることで幅狭部を構成する。
【００１１】
さらに、図２に示すように、４本の足部３の先端部がインプラント９の軸部側（頭部１１から離れる側）に折れ曲がっていることで、結紮部材を引っかけ易くなっている。本実施形態では、本体部１０を頭部１１から離れる方向に撓んだ形状とすることで、より上記折れ曲がり部分に結紮部材が掛止しやすい形状となっている。
なお、アバットメントの材質は所定の強度があれば限定されないが、好適にはチタン製である。
【００１２】
（使用例）
上記構成のアバットメント１を、図３に示すように、インプラント９における頭部１１の下側にあるくびれ部１０に対し、切欠き５を形成した側の２本の足部３間を挿入し、本体部２に形成した開口４に当該くびれ部１０を嵌め込む。嵌め込む際には、左右の足部３間が撓むことで一対の突起部６が一時的に広がって、くびれ部１０は当該一対の突起部６間を通過して開口４内に嵌り込み、開口４に嵌め込まれると、一対の突起部６によって、くびれ部１０の抜けが防止される。
【００１３】
そして、インプラント９の頭部１１に形成された溝１１ａ内に矯正用ワイヤ２０を差し込むと共に、平面視で（インプラント９の軸方向からみて）頭部１１から外径側に張り出している４本の足部３に対し、結紮部材２１であるゴム材や針金を、頭部１１に嵌め込んだ矯正用ワイヤ２０を跨ぐように結紮して取り付ける。これによって、矯正用ワイヤ２０はインプラント９の頭部１１に固定される。
【００１４】
このように、上記アバットメント１をインプラント９に取り付けるだけで、矯正用ワイヤ２０を結紮するための掛止部分となる足部３が複数設けられて、簡易に矯正用ワイヤ２０を固定することが出来る。すなわち、矯正用ワイヤ２０を固定するための専用のインプラント９が不要である。
また、上記アバットメント１は、着脱可能となっているので、当該アバットメント１を外して、他の用途のアバットメントを同じインプラント９に取り付けることも出来る。すなわち、歯列矯正の状況に合わせて、埋設したインプラント９の頭部１１に取り付ける治具を変えることが出来る。
【００１５】
さらに、上記アバットメント１は、切欠き５側から開口４内にくびれ部１０を嵌め込むだけであるので、取付けが容易であり、また、取り外しも引っ張るだけで取り外せる。すなわち、脱着が容易である。なお、図１に本アバットメント１の寸法の例が併記しているが、本アバットメント１は小型の治具であるので、操作が簡単な方が好ましい。また、アバットメント１はくびれ部１０にがっしりと取り付けられる必要はない。結紮の際にくびれ部１０から外れない程度の取付けであればよい。
【００１６】
ここで、上記実施形態では、同一方向に延びる２本の足部３間に開口４の切欠き５を配置しているが、これに限定されない。反対方向に延びる足部３間（図１中、符号Ｂの部分）に切欠き５を設けても良い。この場合には、図４のように、同一方向に延びる２本の棒状の足部３を１本の舌状の足部３１にしても良い。
なお、複数の足部３の数、および各足部３の延在方向は、結紮部材２１を結紮可能であれば特に限定されない。
【図面の簡単な説明】
【００１７】
【図１】本発明に基づく実施形態に係るアバットメントを示す平面図である。
【図２】図１における矢印Ａからみたアバットメントの図である。
【図３】アバットメントの使用例を示す図である。
【図４】アバットメントの他の例を示す図である。
【符号の説明】
【００１８】
１  アバットメント
２  本体部
３  足部
４  開口
５  切欠き
６  突起部
９  インプラント
１０  くびれ部
１１  頭部
１１ａ  溝
２０  矯正用ワイヤ
２１  結紮部材
【図１】
2007244676.tif 000003
【図２】
2007244676.tif 000004
【図３】
2007244676.tif 000005
【図４】
2007244676.tif 000006